(57)【要約】【課題】遊技領域に打ち出された遊技球が意図しない球流下経路側に移動してしまうのを抑制し得る遊技機を提供する。【解決手段】遊技盤２０に、枠状装飾部材３１が配設される。枠状装飾部材３１における遊技領域２０ａを画成する庇状部３８には、開口部３１ａの上方に臨む部位に、上側に凸となる一定曲率の略弧状の第１転動面４５が形成されている。枠状装飾部材３１を遊技盤２０に固定するための台板部３９は、第１転動面４５の左端部より下側に設けられている。すなわち、第１転動面４５と外レール２４とで画成される上部誘導経路２２ａに臨む位置には、遊技盤２０の前面から突出する台板部３９は設けられていない。【選択図】図３
2014023878.tif 000002
【特許請求の範囲】
【請求項１】
遊技球が流下する遊技領域が前側に設けられた遊技盤と、該遊技盤に配設され、開口部を介して図柄表示装置の表示部を前側に臨ませる枠状装飾部材とを備え、前記遊技領域は、前記枠状装飾部材の左側を遊技球が流下する第１球流下経路および枠状装飾部材の右側を遊技球が流下する第２球流下経路を有し、特定条件の成立により遊技球を前記第２球流下経路へ打ち出して遊技が行なわれるよう構成された遊技機において、
前記枠状装飾部材は、
前記開口部を形成する枠状基部と、
前記枠状基部に設けられて前記遊技盤の前面より前方に突出し、前記遊技領域と図柄表示装置の表示領域を区切る庇状部と、
前記庇状部の後縁から外方に延出し、前記遊技盤の前面に当接して固定手段で遊技盤に固定される台板部とを備え、
前記庇状部は、前記開口部の上方に臨んで前記第２球流下経路を画成する転動面を有し、
前記台板部は、前記転動面における第１球流下経路側の端部より下側に設けた
ことを特徴とする遊技機。
【請求項２】
前記転動面は、上側に凸となる略弧状に形成され、該転動面の頂部に、前後方向に延在して転動面を転動する遊技球の移動を規制する規制リブが突設されている請求項１記載の遊技機。
【請求項３】
前記第１球流下経路の上方で開口する打出し口を介して遊技球が遊技領域に打ち出されるよう構成され、
前記枠状装飾部材の庇状部に、前記転動面における第１球流下経路側の端部に接続して転動面から下がる段部が設けられ、該段部には前記台板部が設けられている請求項１または２記載の遊技機。
【請求項４】
前記遊技盤には、前記遊技領域における前記打出し口とは反対側の上部側方に、前記遊技領域に打ち出された遊技球に当って減勢可能な減勢部が前記庇状部から離間して設けられ、該減勢部に当った遊技球が落下する前記庇状部には前記台板部が設けられている請求項３記載の遊技機。
【発明の詳細な説明】
【技術分野】
【０００１】
この発明は、遊技領域に打ち出された遊技球を左右に案内可能な枠状装飾部材を遊技盤に配設した遊技機に関するものである。
【背景技術】
【０００２】
代表的な遊技機であるパチンコ機は、遊技盤の前面に画成した遊技領域の略中央位置に枠状の枠状装飾部材(所謂センター役物)が配設されており、この枠状装飾部材の開口部を介して複数の図柄を変動表示して図柄変動演出を行なう液晶式やドラム式等の図柄表示装置を後方から臨ませると共に、該遊技盤における枠状装飾部材の下方位置に、パチンコ球(遊技球)の入賞により図柄表示装置での変動を開始させる始動入賞装置や当り時に開放する特別入賞装置を配設するよう構成されたものが多数提案されている。この種のパチンコ機では、前記遊技領域に打ち出されたパチンコ球が遊技領域内に植設された遊技釘等との接触により跳ね返りながら次第に自重により流下し、該遊技領域を流下する過程で前記始動入賞装置に入賞することにより、所定数の賞球が払い出されると共に、前記図柄表示装置での図柄変動演出に伴うリーチ演出等の各種の遊技演出がなされ、該図柄表示装置に図柄が所定の組合わせで停止することにより所謂当りが発生し、前記特別入賞装置が開放して多数の賞球を獲得し得るよう構成される。
【０００３】
前記枠状装飾部材は、遊技盤に形成した前後に貫通する貫通孔に略整合する形状に形成された挿入部と、該挿入部の前端縁から外方に突出する台板部とを備え、貫通孔に挿入部を前側から挿入して台板部を遊技盤の前面に当接させ、該台板部を遊技盤にネジ止めすることで、当該枠状装飾部材が遊技盤に位置決め固定される。また枠状装飾部材には、台板部より前方へ突出する庇状部が形成され、前記遊技領域に打ち出されて庇状部に接触したパチンコ球を左右何れかに誘導し得るよう構成される。
【０００４】
またパチンコ機には、当りや確率変動のように特定の条件が発生した場合に、打球発射装置の打球力を高めて枠状装飾部材の右側に画成されている遊技領域にパチンコ球を打ち出す、所謂「右打ち」により遊技を行なうよう構成し、受動的になりがちな遊技者に能動的な遊技を行なわせることで遊技の興趣を向上するようにしたものがある(例えば、特許文献１参照)。
【先行技術文献】
【特許文献】
【０００５】
【特許文献１】特開２００８−１０４７４７号公報
【発明の概要】
【発明が解決しようとする課題】
【０００６】
前記パチンコ機では、遊技者が打球発射装置の打球力を調節することで、枠状装飾部材より左側の遊技領域にパチンコ球を打ち出す左打ちを行なうか、枠状装飾部材より右側の遊技領域にパチンコ球を打ち出す右打ちを行なうかを選択している。この場合に、前記枠状装飾部材における庇状部の上側に画成されてパチンコ球を左右に誘導可能な上部誘導経路に前記台板部が存在していると、左打ち用に打球力を調節した打球発射装置から発射されて上部誘導経路に打ち出されたパチンコ球が台板部に接触して右側の遊技領域に移動してしまったり、または右打ち用に打球力を調節した打球発射装置から発射されて上部誘導経路に打ち出されたパチンコ球が台板部に接触して左側の遊技領域に跳ね返ってしまうことがある。すなわち、パチンコ球を遊技者が意図した側の遊技領域に流下させることができず、遊技者が不満を持って遊技の興趣が低下する難点があった。
【０００７】
ここで、近年のパチンコ機は、前記図柄表示装置で行なわれる図柄変動演出の多様化やインパクトを高め、遊技の面白みを増大させることを目的として、前記遊技盤に対して大型の図柄表示装置が配設される傾向が強くなっている。これに伴い、図柄表示装置の表示部を前側に露出する開口部が形成される枠状装飾部材も大型化し、該枠状装飾部材と遊技盤に配設されたレール部材とで画成されるパチンコ球が流下可能な遊技領域が狭くなる傾向にある。
【０００８】
また、特定の条件が発生して右打ちを行なうことで、遊技者に有利な状態を享受させ得るパチンコ機では、右打ち時には、多くのパチンコ球を枠状装飾部材より右側の遊技領域に打ち出すことで遊技者は多くの利益を得ることができる。しかるに、右側の遊技領域を流下させることを意図して打ち出したパチンコ球が、前記台板部に接触して勢いが削がれて単位時間当りに多くのパチンコ球を右側の遊技領域に流下させ得なくなったり、前述したように台板部に接触したパチンコ球が左側の遊技領域に跳ね返ってしまうことがあると、遊技者が不満を持つ原因となって遊技の興趣を低下させる難点が指摘される。殊に、枠状装飾部材の大型化に伴い上部誘導経路が狭くなると、パチンコ球を台板部に接触させることなく右側の遊技領域に打ち出すことが難しくなり、枠状装飾部材、すなわち図柄表示装置の大型化を阻害する要因ともなる。
【０００９】
すなわち本発明は、従来の技術に係る遊技機に内在する前記課題に鑑み、これを好適に解決するべく提案されたものであって、遊技領域に打ち出された遊技球が意図しない球流下経路側に移動してしまうのを抑制し得る遊技機を提供することを目的とする。
【課題を解決するための手段】
【００１０】
前記課題を克服し、所期の目的を達成するため、本願の請求項１に係る発明は、
遊技球が流下する遊技領域(20a)が前側に設けられた遊技盤(20)と、該遊技盤(20)に配設され、開口部(31a)を介して図柄表示装置(18)の表示部を前側に臨ませる枠状装飾部材(31)とを備え、前記遊技領域(20a)は、前記枠状装飾部材(31)の左側を遊技球が流下する第１球流下経路(21)および枠状装飾部材(31)の右側を遊技球が流下する第２球流下経路(22)を有し、特定条件の成立により遊技球を前記第２球流下経路(22)へ打ち出して遊技が行なわれるよう構成された遊技機において、
前記枠状装飾部材(31)は、
前記開口部(31a)を形成する枠状基部(37)と、
前記枠状基部(37)に設けられて前記遊技盤(20)の前面より前方に突出し、前記遊技領域(20a)と図柄表示装置(18)の表示領域を区切る庇状部(38)と、
前記庇状部(38)の後縁から外方に延出し、前記遊技盤(20)の前面に当接して固定手段(40)で遊技盤(20)に固定される台板部(39)とを備え、
前記庇状部(38)は、前記開口部(31a)の上方に臨んで前記第２球流下経路(22)を画成する転動面(45)を有し、
前記台板部(39)は、前記転動面(45)における第１球流下経路(21)側の端部より下側に設けたことを要旨とする。
【００１１】
請求項１の発明によれば、遊技領域に打ち出された遊技球が、遊技者が意図しない球流下経路へ移動してしまうのを抑制することができ、興趣の高い遊技を提供できる。また、遊技領域に打ち出された遊技球の移動方向が意図しない方向に変更されるのを抑えたもとで枠状装飾部材の大型化が可能であり、遊技の興趣を向上し得る。
【００１２】
請求項２に係る発明では、前記転動面(45)は、上側に凸となる略弧状に形成され、該転動面(45)の頂部に、前後方向に延在して転動面(45)を転動する遊技球の移動を規制する規制リブ(51)が突設されていることを要旨とする。
請求項２の発明によれば、転動部の転動面を転動する遊技球の移動方向を規制リブによって規制することができる。すなわち、転動部の左下がりとなる部位に打ち出された遊技球が右下がりとなる部位側に移動するのを規制し得ると共に、転動部の右下がりとなる部位に打ち出された遊技球が左下がりとなる部位側に移動するのを規制することができ、遊技球が意図しない方向に移動してしまうのを防ぐことができる。
【００１３】
請求項３に係る発明では、前記第１球流下経路(21)の上方で開口する打出し口(23b)を介して遊技球が遊技領域(20a)に打ち出されるよう構成され、
前記枠状装飾部材(31)の庇状部(38)に、前記転動面(45)における第１球流下経路(21)側の端部に接続して転動面(45)から下がる段部(47)が設けられ、該段部(47)には前記台板部(39)が設けられていることを要旨とする。
請求項３の発明によれば、庇状部における遊技領域に向けて遊技球が打ち出される打出し口側に段部を設けたので、該段部をめがけて遊技球を遊技領域に打ち出すことで、遊技球が意図しない球流下経路に移動してしまうのを防ぐことができる。また、打出し口から遊技領域に打ち出された勢いのある遊技球が当接する可能性のある段部には、枠状装飾部材の固定用の台板部が設けられているので、該段部を補強することができる。
【００１４】
請求項４に係る発明では、前記遊技盤(20)には、前記遊技領域(20a)における前記打出し口(23b)とは反対側の上部側方に、前記遊技領域(20a)に打ち出された遊技球に当って減勢可能な減勢部(27)が前記庇状部(38)から離間して設けられ、該減勢部(27)に当った遊技球が落下する前記庇状部(38)には前記台板部(39)が設けられていることを要旨とする。
請求項４の発明によれば、庇状部における減勢部に当った遊技球が落下する部分には固定用の台板部が設けられているので、該庇状部の補強を図り得る。
【発明の効果】
【００１５】
本発明に係る遊技機によれば、遊技領域に打ち出された遊技球が、遊技者が意図しない球流下経路側へ移動してしまうのを抑制することができ、興趣の高い遊技を行ない得る。
【図面の簡単な説明】
【００１６】
【図１】本発明の実施例に係るパチンコ機を示す正面図である。
【図２】実施例のパチンコ機を、中枠に対して前枠を開放した状態で示す概略斜視図であって、前枠の透視保護板や遊技盤における案内レールの内側に配設される各種遊技部品を省略している。
【図３】実施例に係る遊技盤を示す概略正面図である。
【図４】実施例に係る遊技盤と枠状装飾部材とを分解して前側から見た概略斜視図である。
【図５】実施例に係る枠状装飾部材の要部を前側から見た概略斜視図である。
【図６】実施例に係る枠状装飾部材の要部を後側から見た概略斜視図である。
【図７】実施例に係る遊技盤の要部縦断側面図である。
【発明を実施するための形態】
【００１７】
次に、本発明に係る遊技機につき、好適な実施例を挙げて、添付図面を参照しながら以下詳細に説明する。なお、実施例では、遊技球としてパチンコ球を用いて遊技を行なうパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１８】
(パチンコ機１０について)
実施例に係るパチンコ機１０は、図１または図２に示すように、前後に開口する矩形枠状に形成されて遊技店の図示しない設置枠台に縦置き姿勢で設置される固定枠としての外枠１１の開口前面側に、遊技盤２０を着脱可能に保持する本体枠としての中枠１２が開閉および着脱可能に組み付けられて、該遊技盤２０の裏側に、各種図柄を変動表示可能な図柄表示装置１８が着脱可能に配設されている。また、前記中枠１２の前面側には、前記遊技盤２０を透視保護するガラス板や透明な合成樹脂材により形成された透視保護板１３ｂで前後に開口する窓部１３ａを覆うよう構成された前枠１３が開閉可能に組み付けられると共に、該前枠１３の下方にパチンコ球を貯留する下球受け皿１５が開閉可能に組み付けられる。なお、実施例では、前記前枠１３の下部位置に、パチンコ球を貯留する上球受け皿１４が一体的に組み付けられており、前枠１３の開閉に合わせて上球受け皿１４も一体的に開閉するよう構成される。なお、実施例では、前記図柄表示装置１８としては、各種図柄を表示可能な液晶パネルを収容ケースに収容した液晶表示装置が採用されるが、これに限られるものではなく、ドラム式の図柄表示装置やドットマトリックス式の図柄表示装置等の各種図柄を停止および変動表示可能な従来公知の各種の図柄表示装置を採用し得る。また、前記上球受け皿１４は、前記前枠１３と別体に形成してもよい。なお、球受け皿については、上下２枚の球受け皿１４,１５を備えるものに限らず、１枚の球受け皿のみを設ける構成であってもよい。
【００１９】
前記前枠１３の右下方位置には、前記中枠１２に配設された打球発射装置１６を作動する操作ハンドル１７が設けられている。前記操作ハンドル１７は、左回転方向に付勢された操作レバー１７ａを備えており、該操作レバー１７ａを右回転するよう遊技者が回動操作することで打球発射装置１６が作動されて、前記上球受け皿１４に貯留されたパチンコ球が前記遊技盤２０に向けて発射されるようになっている。ここで、前記操作レバー１７ａの回動量に応じて前記打球発射装置１６によるパチンコ球の打球力が強弱変化するよう構成されており、遊技者が操作レバー１７ａの回動量を操作することで、前記遊技盤２０に形成された第１球流下経路２１(後述)をパチンコ球が流下する所謂「左打ち」と、該遊技盤２０に形成された第２球流下経路２２(後述)をパチンコ球が流下する所謂「右打ち(ゴム打ち)」とを打ち分け得るようになっている。
【００２０】
(遊技盤２０について)
前記遊技盤２０は、図３に示すように、所定板厚の略矩形状に形成された木材板の表面に、各種絵柄等が描かれた合成樹脂シート(図示せず)等を貼付けて装飾した板部材であって、該遊技盤２０の表面(盤面)に配設された略円形状に湾曲形成する案内レール２３により、パチンコ球が流下可能な遊技領域２０ａが画成されている。また、前記遊技盤２０の裏面に、前記図柄表示装置１８が取り付けられた設置部材１９(図４参照)が配設されている。
【００２１】
前記案内レール２３は、図３に示す如く、遊技盤２０の左下部から右上部に至るよう左方向に膨出する円弧状に形成された外レール２４と、遊技盤２０の右上部、右下部および左上部に至るよう右方向に膨出する円弧状に形成された内レール２５,２６とから構成されている。前記内レール２５,２６は、外レール２４の右上端部に連接して遊技盤２０の右上部から下部に亘って配設され、左端縁が右方に凹む円弧状に形成された盤面飾り部材２５と、遊技盤２０の下部から左上部に亘って配設されて盤面飾り部材２５の下端部に連接し、前記外レール２４の右方(内側)に離間して位置するレール部材２６とから構成され、該外レール２４およびレール部材２６により１個のパチンコ球が通過可能な発射通路２３ａが画成されている。ここで、前記内レールを構成するレール部材２６は、前記遊技盤２０の左上部に開放端を臨ませて外レール２４との間に遊技領域２０ａに開口する打出し口２３ｂを画成するよう構成されて、前記打球発射装置１６から発射されたパチンコ球が発射通路２３ａの下方開口から飛翔して、レール部材２６の開放端側の打出し口２３ｂから遊技領域２０ａ内に打ち出されるようになっている。
【００２２】
図３に示す如く、前記外レール２４と盤面飾り部材２５との接続位置は、外レール２４および盤面飾り部材２５の曲率の相違から段差が形成されており、該段差部分に緩衝ゴム(減勢部)２７が配設されている。すなわち、前記外レール２４の終端位置に臨むよう緩衝ゴム２７が配設されて、前記打球発射装置１６から発射されて外レール２４に沿って終端位置まで移動して緩衝ゴム２７に当接したパチンコ球を減勢し得るようになっている。なお、前記緩衝ゴム２７は、前記第２球流下経路２２に位置している。
【００２３】
(遊技盤２０の装着口２８)
前記遊技盤２０には、図４に示す如く、前後に貫通する装着口２８が前記遊技領域２０ａ内に複数開設されて、各装着口２８に対して各種部品が前側から取り付けられると共に、遊技領域２０ａの最下部位置には、該遊技領域２０ａに打ち出されたパチンコ球を排出するアウト口２９が開設されている。また、前記遊技盤２０には、前記遊技領域２０ａ内に多数の遊技釘３０が植設されており、遊技領域２０ａを流下するパチンコ球が遊技釘３０に接触することでパチンコ球の流下方向を不規則に変化させるようになっている。なお、前記装着口２８の形成数は、遊技盤２０に対して取り付けられる各種部品の個数や配設位置等により必要に応じて適宜決定される。
【００２４】
実施例の前記遊技盤２０には、図４に示す如く、前記案内レール２３で囲まれた遊技領域２０ａの略中央の大部分が開口する第１装着口２８に、前後に開口する開口部３１ａが形成された枠状装飾部材３１が取り付けられ、該枠状装飾部材３１の開口部３１ａを介して図柄表示装置１８の表示部が遊技盤２０の前面側に臨むよう構成されている。そして、第１装着口２８(枠状装飾部材３１)の下方に開設された第２装着口(図示せず)に、遊技領域２０ａ(第１球流下経路２１)を流下するパチンコ球が入賞可能な第１始動入賞口３２ａを有する第１始動入賞装置３２が取り付けられ、該第２装着口(第１始動入賞装置３２)の右上方に開設された第３装着口(図示せず)に、遊技領域２０ａ(第２球流下経路２２)を流下するパチンコ球が入賞可能な特別入賞装置３３が取り付けられている。また、実施例のパチンコ機１０では、前記枠状装飾部材３１における特別入賞装置３３の上方であって第２球流下経路２２に臨む位置に、該第２球流下経路２２を流下するパチンコ球が入賞可能な第２始動入賞口３４ａを有する第２始動入賞装置３４が取り付けられている。
【００２５】
そして、前記第１始動入賞装置３２に設けられた第１始動入賞口３２ａまたは第２始動入賞装置３４に設けられた第２始動入賞口３４ａに遊技領域２０ａを流下するパチンコ球が入賞することで、前記図柄表示装置１８において図柄が変動表示されて図柄変動演出が展開され、該図柄変動演出の結果、図柄表示装置１８に所定の図柄組み合わせ(例えば同一図柄の３つ揃い等)で図柄が停止表示されることで所謂大当り(当り)が発生し、大当りの発生に伴って前記特別入賞装置３３が開放して多数の賞球を獲得し得る機会が与えられるようになっている。ここで、後述するように、前記第１始動入賞装置３２は、第１始動入賞口３２ａが遊技領域２０ａに常時開放する常時開放型の入賞装置とされ、前記第２始動入賞装置３４は、所定の開放条件および閉鎖条件(何れも後述)に従って第２始動入賞口３４ａが開閉部材３５により開閉される開閉型の入賞装置とされている。そして、前記特別入賞装置３３は、開閉体３３ａにより特別入賞口(図示せず)を常には閉鎖(入賞不能状態と)するよう構成され、大当りの発生に伴って特別入賞口を開放(入賞可能状態と)するよう構成されている。
【００２６】
ここで、実施例のパチンコ機１０では、遊技が行なわれる遊技状態として３つの状態が設定されている。すなわち、パチンコ機１０において通常行なわれる通常状態と、該通常状態に較べて大当りの発生確率が高く、かつ前記第２始動入賞装置３４の第２始動入賞口３４ａへの入賞確率が高く設定された確率変動状態と、通常状態に較べて大当りの発生確率が同等で、かつ第２始動入賞装置３４の第２始動入賞口３４ａへの入賞確率が高く設定された時間短縮状態が設定されている。そして、前記第１始動入賞口３２ａまたは第２始動入賞口３４ａへパチンコ球が入賞した際に、前記遊技状態を変更するか否かがパチンコ機１０裏側に配設された制御装置(図示せず)で決定される。
【００２７】
また、前記第２始動入賞装置３４の右上方には、前記遊技領域２０ａ(第２球流下経路２２)を流下するパチンコ球が通過可能な球通過ゲート３６が設けられると共に、パチンコ球を検出する球通過検出センサ(図示せず)が球通過ゲート３６に設けられている。前記球通過ゲート３６の球通過検出センサは、前記制御装置に接続されており、該球通過検出センサの検出に伴って前記第２始動入賞装置３４における第２始動入賞口３４ａを開放するか否かの始動口開放抽選が行なわれ、該始動口開放抽選の結果が当選の場合に、第２始動入賞口３４ａを開放するよう第２始動入賞装置３４が駆動制御されるようになっている。すなわち、実施例のパチンコ機１０では、前記球通過ゲート３６の球通過検出センサがパチンコ球を検出して行なわれる始動口開放抽選の結果が当選となることが、前記第２始動入賞装置３４の第２始動入賞口３４ａを開放する開放条件とされている。
【００２８】
そして、前記第２始動入賞口３４ａを開放してから所定の閉鎖条件が成立することで、該第２始動入賞口３４ａが閉鎖されるようになっている。ここで、前記第２始動入賞口３４ａを閉鎖する閉鎖条件としては、例えば前記開閉部材３５が入賞許容位置に移動してからの経過時間(第２始動入賞口３４ａの開放時間)や、第２始動入賞口３４ａへの設定数のパチンコ球の入賞等が挙げられるが、これに限られるものではない。すなわち、パチンコ機１０において入賞口を開閉する開閉式の始動入賞装置に採用される開閉部材３５の開放条件および閉鎖条件に従って第２始動入賞装置３４が駆動制御される。
【００２９】
(特定条件について)
また、実施例のパチンコ機１０では、前記第２始動入賞装置３４の第２始動入賞口３４ａを開放する開放条件および該第２始動入賞口３４ａを閉鎖する閉鎖条件は、遊技状態に応じて設定されている。すなわち、遊技状態が前記確率変動状態および時間短縮状態の場合には、遊技状態が通常状態の場合に較べて、前記第２始動入賞装置３４の第２始動入賞口３４ａが開放され易くなるよう前記開放条件や閉鎖条件が設定されて、第２始動入賞口３４ａへの入賞率を高くするよう構成されている。具体的には、実施例では、遊技状態が前記確率変動状態および時間短縮状態の場合には、遊技状態が通常状態の場合に較べて、前記始動口開放抽選の結果が確定するまでの時間が短くなるよう設定されると共に、第２始動入賞口３４ａの１回の開放毎の開放時間を長く設定することで、確率変動状態および時間短縮状態における第２始動入賞口３４ａへの入賞確率を高くしている。例えば、遊技状態が通常状態の場合には、始動口開放抽選の結果が確定するまでの時間が略３０秒で、かつ第２始動入賞口３４ａの開放時間が０．１秒／１回に設定されるのに対し、遊技状態が確率変動状態および時間短縮状態の場合には、始動口開放抽選の結果が確定するまでの時間が略２秒で、かつ第２始動入賞口３４ａの開放時間が２秒／１回に設定されている。
【００３０】
そして、前記特別入賞装置３３および第２始動入賞装置３４の夫々を、前記遊技盤２０の右側部に配置したことで、パチンコ球が第１球流下経路２１を流下する場合に較べて、前記第２球流下経路２２を流下する場合の方が、各入賞装置３３,３４に入賞し易くなっている。従って、実施例のパチンコ機１０は、特定の条件が成立した場合(大当り状態、遊技状態が確率変動遊技状態または時間短縮遊技状態となった場合)に、パチンコ球を第２球流下経路２２へ打ち出す「右打ち(ゴム打ち)」を実施し、特定条件が不成立の場合には、パチンコ球を第１球流下経路２１へ打ち出す「左打ち」を実施することで、所定の遊技が行なわれるよう構成されている。このように、遊技者が遊技状態(特定条件の成立・不成立)に応じて前記操作ハンドル１７を操作してパチンコ球の打ち出し位置を変更するよう構成することで、遊技者に能動的な遊技参加を促し、遊技の興趣を高めるようになっている。すなわち、実施例において特定条件の成立とは、パチンコ球を第２球流下経路２２へ打ち出す「右打ち(ゴム打ち)」を実施するのに適した条件の成立をいうものである。
【００３１】
(設置部材１９について)
前記設置部材１９は、前記遊技盤２０の外郭形状と略整合する大きさおよび形状に形成された略矩形状の背面板と、該背面板の外周縁部から前方に突出する画壁部とから前方に開口した箱状に形成されて、該画壁部の開口前端部を遊技盤２０の裏面に当接させた状態で、当該遊技盤２０と設置部材１９とがネジにより固定される。そして、前記設置部材１９において前記遊技盤２０との間に画成される空間に、各種の可動演出装置や各種の発光装置等が設置されて、設置部材１９を基材とする１つのユニットとして扱い得るようになっている。また、前記設置部材１９の背面板には、前記枠状装飾部材３１の開口部３１ａを前後に整列する位置に、略矩形状の開口部１９ａが前後に開口するよう開設されると共に、該背面板の裏側に前記図柄表示装置１８が着脱自在に取り付けられて、該開口部１９ａを介して図柄表示装置１８の表示部が遊技盤２０の前側に臨むようになっている。
【００３２】
(枠状装飾部材３１について)
前記遊技盤２０に配設される前記枠状装飾部材３１は、図４,図５または図６に示す如く、前記遊技盤２０に開設された前記第１装着口２８の内側に沿って延在する環状に形成された枠状基部３７と、該枠状基部３７に設けられて前記遊技盤２０の前面より前方に突出し、前記遊技領域２０ａと図柄表示装置１８の表示部(表示領域)を区切る庇状部３８と、該庇状部３８の後縁から外方に延出する薄板状の台板部３９とを備える。そして、前記枠状基部３７を第１装着口２８に挿入すると共に台板部３９を遊技盤２０の前面に当接した状態で、該台板部３９をネジ等の固定手段４０で遊技盤２０に固定することで、枠状装飾部材３１が遊技盤２０に取り付けられる。ここで、前記庇状部３８は、前記枠状装飾部材３１(枠状基部３７)の左側縁の中間位置から上縁および右下縁に亘って連続して延在するよう設けられており、図柄表示装置１８の前面側を横切ってパチンコ球が流下(落下)するのを規制している。
【００３３】
前記枠状装飾部材３１には、図３,図４に示す如く、開口部３１ａの下側に、ステージ４２が配設されると共に、開口部３１ａの左側に、遊技領域２０ａに開口して該遊技領域２０ａを流下するパチンコ球を取込んでステージ４２に案内する球導入部４３が設けられ、該球導入部４３からステージ４２に通出されたパチンコ球は、ステージ４２上を左右に転動した後に、前記第１始動入賞装置３２が配設されている遊技領域２０ａに排出される。またステージ４２の後端縁には、左右方向の全長に亘って上側に向けて所定高さで立上がる透明壁４４が設けられ、ステージ４２上を転動するパチンコ球が図柄表示装置１８の表示部側に移動するのを該透明壁４４で防止している。なお、実施例では、枠状装飾部材３１の枠状基部３７や庇状部３８の前側に、各種の意匠が施された装飾体や発光装置等の装飾部品４１が配設され、これら装飾部品４１および透明壁４４によって前記図柄表示装置１８の表示部を前側に臨ませる開口部３１ａが画成されている。
【００３４】
前記庇状部３８は、図３〜図６に示す如く、最上部位置から左右方向に下方傾斜するよう形成されて、遊技領域２０ａに打ち出されたパチンコ球が庇状部３８上で滞ることなく前記枠状装飾部材３１の左側方または右側方へ誘導されるよう形成されている。実施例では、前記開口部３１ａの上方に臨む庇状部３８は、左右方向の所定領域が上側に凸となる一定曲率の略弧状に形成された第１転動面(転動面)４５を有しており、該第１転動面４５の頂部は遊技盤２０の左右方向の中央に位置している。また、第１転動面４５の右端部には、該第１転動面４５の曲率より小さな曲率の第２転動面４６が接続されて右下側に向けて延在している。
【００３５】
前記庇状部３８には、図３〜図６に示す如く、第１転動面４５における左端部(第１球流下経路２１側の端部)に接続して、該第１転動面４５から所定高さで下がる第１段部(段部)４７が設けられている。また庇状部３８には、第２転動面４６の右端部に接続して、該第２転動面４６から所定高さで下がる第２段部４８が設けられている。そして、実施例では、庇状部３８と案内レール２３とで画成される遊技領域２０ａにおいて、前記第１転動面４５の左端部を境界として、該左端部より左側が第１球流下経路２１とされ、該左端部より右側が第２球流下経路２２とされ、前記案内レール２３の打出し口２３ｂは、第１球流下経路２１の上方で開口している。また、第１転動面４５および第２転動面４６は、前記外レール２４から下方(内側)に離間して対向するように位置し、第２球流下経路２２を画成する第１転動面４５および第２転動面４６と外レール２４との間は、パチンコ球１個分の幅寸法より大きく、かつ遊技球２個分の幅寸法より小さな幅寸設に設定されている。なお、以下の説明では、第２球流下経路２２について、第１転動面４５と外レール２４とで画成される部分については特に上部誘導経路２２ａと指称する場合もある。
【００３６】
すなわち、前記遊技盤２０に画成された遊技領域２０ａには、前記枠状装飾部材３１の左側方をパチンコ球が流下する第１球流下経路２１、および該枠状装飾部材３１の上方から右側方をパチンコ球が流下する第２球流下経路２２が設けられており、前記庇状部３８の第１段部４７に当ったパチンコ球は第１球流下経路２１を流下し、該庇状部３８の第１転動面４５に到来したパチンコ球は第２球流下経路２２を流下するようになっている。換言すると、前記打球発射装置１６により遊技領域２０ａ内に発射されたパチンコ球は、到達位置に応じて前記枠状装飾部材３１およびレール部材２６(内レール２５,２６)の間に形成される第１球流下経路２１か、或いは枠状装飾部材３１、外レール２４および盤面飾り部材２５(内レール２５,２６)の間に形成される第２球流下経路２２の何れかを流下する。そして、実施例に係るパチンコ機１０では、前記第１球流下経路２１をパチンコ球が流下する場合(左打ちした場合)に、パチンコ球が第２球流下経路２２を流下する場合に較べて第１始動入賞装置３２の第１始動入賞口３２ａにパチンコ球が入賞する可能性が高くなるよう構成されると共に、該第２球流下経路２２をパチンコ球が流下する場合(右打ちの場合)に、パチンコ球が第１球流下経路２１を流下する場合に較べて前記特別入賞装置３３の特別入賞口や第２始動入賞装置３４の第２始動入賞口３４ａへパチンコ球が入賞する可能性が高くなるよう構成されている。なお、特定の条件が成立した場合に右打ちを行なうことで、遊技者に有利な状態となるパチンコ機１０では、前記第１転動面４５の左端(上部誘導経路２２ａの入口)から枠状装飾部材３１の右側中間位置までの間に臨む遊技領域２０ａには遊技釘３０が設けられておらず、右打ちした場合にはパチンコ球が短時間で前記球通過ゲート３６、第２始動入賞口３４ａおよび特別入賞口が設けられる領域に達し得るよう構成してある。
【００３７】
前記庇状部３８に設けた第１段部４７は、図３に示す如く、前記案内レール２３に設けた打出し口２３ｂの右上方に位置して、該打出し口２３ｂから遊技領域２０ａに打ち出されたパチンコ球が当り得るよう構成される。また、庇状部３８に設けた第２段部４８は、前記緩衝ゴム２７と対向して位置して、該緩衝ゴム２７に当って跳ね返ったパチンコ球が当り得る位置に臨んでいる。
【００３８】
前記枠状装飾部材３１を遊技盤２０に固定するための前記台板部３９は、図３に示す如く、前記第１転動面４５の左端部より下側に設けられて、第１転動面４５と外レール２４とで画成される上部誘導経路２２ａ(第２球流下経路２２)に臨む位置には、遊技盤２０の前面から前側に突出する台板部３９が設けられていない。具体的には、第１転動面４５より左側では、庇状部３８に形成された第１段部４７に対応する位置から下側に台板部３９が設けられ、第１転動面４５より右側では、前記第２転動面４６との接続部より右側で庇状部３８に形成された第２段部４８に対応する位置から下側に台板部３９が設けられている。また、前記枠状基部３７における第１転動面４５の左端部と対応する部位に、図５および図６に示す如く、後方に突出する突部４９が設けられており、該突部４９は、遊技盤２０の裏面に配設した前記設置部材１９に形成した孔(図示せず)に嵌り込むよう構成される。なお、台板部３９について、前記第１転動面４５より左側に設けられる部分については左台板部３９と指称し、第１転動面４５より右側に設けられる部分については右台板部３９と指称して便宜上区別することもある。
【００３９】
前記庇状部３８における前記第１転動面４５および第２転動面４６の形成位置には、図６および図７に示す如く、該庇状部３８の後端縁から開口部３１ａ側に向けて延出する当接部５０が設けられ、該当接部５０の下端部が前記枠状基部３７の前端部に接続されている。そして、枠状装飾部材３１を遊技盤２０に固定した状態では、庇状部３８における第１転動面４５および第２転動面４６の形成領域では、前記当接部５０が遊技盤２０の前面に当接することで、第１転動面４５および第２転動面４６が位置決めされるよう構成されている。
【００４０】
前記第１転動面４５における頂部(左側に向けて下がる面部と右側に向けて下がる面部との境界(分水嶺となる境界)上に、前後方向に延在する規制リブ５１が上側に向けて突設されている。以下の説明では、第１転動面４５について、前記規制リブ５１から左端部に向けて下方傾斜するよう延在する部分を左傾斜転動面部４５ａと指称し、規制リブ５１から右端部に向けて下方傾斜するよう延在する部分を右傾斜転動面部４５ｂと指称して便宜上区別することもある。そして、前記規制リブ５１は、第１転動面４５上を転動するパチンコ球が、左傾斜転動面部４５ａから右傾斜転動面部４５ｂ、または右傾斜転動面部４５ｂから左傾斜転動面部４５ａへ移動するのを規制するべく機能する。なお、規制リブ５１の第１転動面４５からの突出高さは、該第１転動面４５上を転動するパチンコ球の移動を完全に規制するものではなく、パチンコ球の直径(略１１ｍｍ)に較べて相対的に小さい、具体的には１〜１.５ｍｍ程度に設定されて、第１転動面４５を転動するパチンコ球の勢いが弱い場合に規制し得る程度に構成してある。
【００４１】
前記第１転動面４５より右側に設けられた前記右台板部３９は、前記第２段部４８より上側を始端として、前記遊技盤２０に設けられた前記球通過ゲート３６の上方位置まで延在するように設けられる。また、前記庇状部３８の前端縁には、前記第２段部４８より下側において右台板部３９の前側に離間して対向するように減勢板５２が設けられており、前記第２球流下経路２２における第２段部４８の形成部位を通り過ぎたパチンコ球は、減勢板５２と右台板部３９との間を通過した後に、前記球通過ゲート３６が位置する第２球流下経路２２を流下するよう構成される。図５に示す如く、減勢板５２の右台板部３９との対向面に、パチンコ球の流下方向と交差する方向に延在する減勢突条５２ａが、パチンコ球の流下方向に離間して複数設けられる。また、右台板部３９における減勢板５２との対向面に、パチンコ球の流下方向と交差する方向に延在する減勢突条３９ａが、パチンコ球の流下方向に離間して複数設けられる。減勢板５２の減勢突条５２ａと右台板部３９の減勢突条３９ａとは、パチンコ球の流下方向に交互に位置するように設定されると共に、減勢突条５２ａと対向する右台板部３９の前面との離間間隔、および減勢部２７と対向する減勢板５２の裏面との離間間隔は、パチンコ球の通過を許容する球１個分の寸法(実際には球１個分より僅かに大きく、パチンコ球のスムーズな通過を許容する寸法)に設定され、減勢板５２と右台板部３９との間を通過するパチンコ球の勢いを適度に減勢し得るよう構成してある。
【００４２】
なお、前記減勢板５２は透明に形成されて、該減勢板５２と右台板部３９との間を通過するパチンコ球を前側から視認し得るようになっている。また、減勢板５２における右台板部３９との対向面における上流端部(右台板部３９との間に画成される通路の入口側の端部)には、上流側に向かうにつれて右台板部３９から離間する傾斜面(図示せず)が形成されており、前記第２段部４８側の第２球流下経路２２からのパチンコ球のスムーズな流入を許容し得るよう構成してある。
【００４３】
(実施例の作用)
次に、前述のように構成された実施例に係るパチンコ機１０の作用につき説明する。
【００４４】
前記前枠１３の前面側に設けられた前記操作ハンドル１７の操作レバー１７ａを遊技者が回転操作すると、前記打球発射装置１６から発射されたパチンコ球が前記遊技盤２０に設けた案内レール２３により画成された発射通路２３ａを通って打出し口２３ｂから遊技領域２０ａ内に打ち出される。このとき、前記操作レバー１７ａの回動量に応じてパチンコ球の打ち出し位置が変化し、打ち出し位置に応じて遊技領域２０ａの第１球流下経路２１または第２球流下経路２２をパチンコ球が流下する。前記特定条件が成立していない状態(大当り状態、確率変動状態、時間短縮状態となっていない状態)では、第１球流下経路２１を流下する「左打ち」となるようパチンコ球が打ち出されて、前記第１始動入賞装置３２にパチンコ球が入賞すると、前記制御装置の制御に基づいて前記図柄表示装置１８での図柄変動演出が開始され、図柄変動演出の結果、図柄表示装置１８に所定の図柄組み合わせが表示されると大当りが発生する。大当りが発生すると、図柄表示装置１８に表示された図柄組み合わせに応じて、前記遊技盤２０の右方(第２球流下経路２２)に設けられた特別入賞装置３３が開放されると共に、前記制御装置の制御に基づいて図柄表示装置１８において大当り演出が行なわれる。
【００４５】
前記特定条件が成立していない状態で遊技者が左打ちを行なう場合に、前記枠状装飾部材３１における第１段部４７にめがけてパチンコ球を遊技領域２０ａに打ち出すように打球発射装置１６の打球力を調節する。すなわち、打球発射装置１６から発射されて打出し口２３ｂから打ち出されたパチンコ球が第１段部４７に当った場合は、該パチンコ球は前記第１始動入賞装置３２に入賞する可能性が第２球流下経路２２より高い第１球流下経路２１を確実に流下する。また、打球発射装置１６の打球力を調節している際には、該打球発射装置１６から発射されたパチンコ球が、前記第１段部４７を越えて前記第１転動面４５における左傾斜転動面部４５ａに打ち出されることがある。しかしながら、該左傾斜転動面部４５ａは、第１転動面４５の頂部から第１球流下経路２１に向かって下方傾斜しているので、該左傾斜転動面部４５ａに打ち出されたパチンコ球を第１球流下経路２１に案内することができる。更に、第１転動面４５の頂部には規制リブ５１が突設されているので、左傾斜転動面部４５ａに打ち出されたパチンコ球が勢いによって右方に転動した場合においても、該規制リブ５１によって移動を規制して第１球流下経路２１に戻すことが可能となる。すなわち、前記第１球流下経路２１を流下させようとして第１段部４７にめがけて打ち出されたパチンコ球の勢いは弱く、該パチンコ球が左傾斜転動面部４５ａに打ち出されたとしても、該左傾斜転動面部４５ａの傾斜および規制リブ５１によって、第１転動面４５の右傾斜転動面部４５ｂまでパチンコ球が移動してしまうのを防止し、遊技者が意図している第１球流下経路２１にパチンコ球を戻すことができ、遊技者が不満を覚えて興趣が低下するのを防ぐことができる。
【００４６】
また、左打ちに際してパチンコ球の打ち出し位置の目印となる第１段部４７には、枠状装飾部材３１を遊技盤２０に固定するための前記台板部３９が位置しているから、該第１段部４７に多くのパチンコ球が当っても枠状装飾部材３１における第１段部４７の部位が位置ズレしたり変形するのを抑制し得る。更に、第１段部４７が接続する第１転動面４５の左端部と対応する枠状基部３７に突設した突部４９が、前記設置部材１９の孔に嵌り込んで枠状基部３７は左右方向の位置規制がなされているので、第１段部４７にパチンコ球が当った際の衝撃によって枠状装飾部材３１が位置ズレするのを確実に防ぐことができる。
【００４７】
実施例に係るパチンコ機１０では、特定条件が成立する前記大当りの発生や、確率変動状態や時間短縮状態へ移行した際に、遊技者は操作レバー１７ａの回動量を調節してパチンコ球を第２球流下経路２２に向けて打ち出す右打ちを行なう。すなわち、遊技者は打球発射装置１６の打球力を強めるように操作レバー１７ａを右回転させるので、前記打出し口２３ｂから打ち出されたパチンコ球は、前記外レール２４に沿って枠状装飾部材３１の右側に打ち込まれる。前述したように、前記第１転動面４５と外レール２４とで画成される上部誘導経路２２ａ(第２球流下経路２２)には、前記枠状装飾部材３１を固定するための台板部３９は存在しておらず、該上部誘導経路２２ａには遊技盤２０の前面から前側に突出する部分がないので、当該上部誘導経路２２ａを通過する際にパチンコ球が台板部３９に接触して勢いが弱められたり第１球流下経路２１側に跳ね返ることはない。従って、特定条件の成立によって遊技者が右打ちを行なった場合は、パチンコ球を遊技者が意図している第２球流下経路２２に確実に案内することができ、遊技者に多くの利益を獲得し得る機会を与えることができる。すなわち、遊技者が右打ちを行なう場合は、短時間でより多くのパチンコ球を第２球流下経路２２に打ち込んで多くの利益を得ようとして遊技を行なっており、実施例のパチンコ機１０は該遊技者の意図に沿った遊技を行ない得るものであって、遊技者が不満を覚えて興趣が低下するのを防止し得る。
【００４８】
ここで、前記右打ちに際して殆どの遊技者は、前記操作レバー１７ａを限界位置まで右回転させて前記打球発射装置１６の打球力を最大とするため、該打球発射装置１６から発射されたパチンコ球の殆どは、前記外レール２４に沿って終端位置まで移動して、前記緩衝ゴム２７に当って減勢された状態で前記庇状部３８上に落下する。前記緩衝ゴム２７と対向する庇状部３８には、図３に示す如く、上端(第２転動面４６との接続端)から下端に向けて下方傾斜する前記第２段部４８が形成されているので、緩衝ゴム２７に当って落下または跳ね返ったパチンコ球は、該第２段部４８に当ることで下側に案内される。すなわち、緩衝ゴム２７に当って跳ね返ったパチンコ球が前記第２転動面４６に移動するのを防ぐことができる。
【００４９】
なお、前記緩衝ゴム２７に当って跳ね返ったパチンコ球が、前記第２段部４８より上側の第２転動面４６または第１転動面４５まで戻ってしまう場合もある。この場合において、第２転動面４６の曲率は小さく、左端(第１転動面４５との接続端)から右端に向けての傾斜が大きいので、該第２転動面４６まで戻ったパチンコ球が第１転動面４５まで移動するのを抑制し得る。また、第１転動面４５までパチンコ球が戻ったとしても、該第１転動面４５における右傾斜転動面部４５ｂの傾斜および前記規制リブ５１によって、該パチンコ球が左傾斜転動面部４５ａに移動してしまうのを防止することができる。すなわち、右打ちを行なっている際に、遊技者が意図していない第１球流下経路２１にパチンコ球が流下するのを防止することができ、興趣の低下を抑制し得る。また、前記庇状部３８における緩衝ゴム２７で減勢されたパチンコ球が落下する部位(第２段部４８や第２転動面４６の右端部)には、遊技盤２０にネジ止め固定された台板部３９が設けられているので、庇状部３８における右打ちに際して多くのパチンコ球が当たる部分の位置ズレや変形状を防ぐことができる。
【００５０】
ここで、前記第２球流下経路２２に打ち込まれたパチンコ球の勢いが強すぎると、第２球流下経路２２に位置する前記球通過ゲート３６や第２始動入賞装置３４が、パチンコ球が衝突した際の衝撃によって破損するおそれがある。実施例のパチンコ機１０では、前記枠状装飾部材３１における前記第２段部４８の下側に、前記右台板部３９に対向する減勢板５２を設けているので、該右台板部３９と減勢板５２との間を通過するパチンコ球の勢いを適度に減勢して、下流側に位置する前記球通過ゲート３６や第２始動入賞装置３４にパチンコ球が衝突した際の衝撃を弱めることができ、該球通過ゲート３６や第２始動入賞装置３４が損傷するのを抑制し得る。すなわち、実施例のパチンコ機１０では、前記上部誘導経路２２ａに台板部３９を臨ませないようにすることで、前記枠状装飾部材３１の上側の第２球流下経路２２を通過するパチンコ球の勢いを弱めたり第１球流下経路２１に跳ね返ってしまうことなく、速やかに第２球流下経路２２を流下させ得るようにすることで、短時間で多くのパチンコ球を第２球流下経路２２に流下させたいという遊技者の望みを適えつつ、球通過ゲート３６や第２始動入賞装置３４が破損するのを防止することができる。
【００５１】
(変更例)
なお、遊技機の構成としては、実施例のものに限らず、種々の変更が可能である。
(１)  実施例では、枠状装飾部材における第１転動面(転動面)を曲面形状としたが、頂部を挟んで左右に直線的に傾斜するものであってもよい。
(２)  実施例では、遊技盤を木材板で形成したが、これに限られるものではなく、遊技盤を合成樹脂材から透明または不透明に形成するようにしてもよい。
(３)  実施例では、遊技機としてパチンコ機を例示して説明したが、これに限られるものではなく、アレンジボール機やピンボール機、スロットマシン機等の各種遊技機を採用し得る。
【符号の説明】
【００５２】
１８ 図柄表示装置
２０ 遊技盤
２０ａ 遊技領域
２１ 第１球流下経路
２２ 第２球流下経路
２３ｂ 打出し口
２７ 緩衝ゴム(減勢部)
３１ 枠状装飾部材
３１ａ 開口部
３７ 枠状基部
３８ 庇状部
３９ 台板部
４０ 固定手段
４５ 第１転動面(転動面)
４７ 第１段部(段部)
５１ 規制リブ
【図１】
2014023878.tif 000003
【図２】
2014023878.tif 000004
【図３】
2014023878.tif 000005
【図４】
2014023878.tif 000006
【図５】
2014023878.tif 000007
【図６】
2014023878.tif 000008
【図７】
2014023878.tif 000009